(57)【要約】      （修正有）【課題】音声を聞き取ることができる範囲を狭い範囲に縮小させ、ピンポイント的な音声案内に近づけることが可能な路面埋設ブロックを提供すること。【解決手段】路面埋設ブロック１００Aは、上壁部４bの下方に形成される内部空間（凹部１aと凹部４aで形成される空間）に、上壁部４bの上面と平行に平面スピーカ２を配置して構成される。平面スピーカ２がコーンスピーカと比べ指向性が狭いため、従来の路面埋設ブロックよりも音声案内が聞こえる範囲が狭くなり、ピンポイント的な音声案内を実現可能になる。【選択図】図３
2008190120.tif 000002
【特許請求の範囲】
【請求項１】
上壁部の下方に形成される内部空間に、狭指向性スピーカを内蔵したことを特徴とする路面埋設ブロック。
【請求項２】
前記スピーカは、前記上壁部の上面と平行に配置されたことを特徴とする請求項１に記載の路面埋設ブロック。
【請求項３】
前記スピーカは、平面スピーカである請求項１又は２に記載の路面埋設ブロック。
【請求項４】
前記上壁部は、前記内部空間に連通する複数の音声出力孔を有することを特徴とする請求項１〜３のいずれかに記載の路面埋設ブロック。
【請求項５】
前記上壁部は、前記複数の音声出力孔を塞ぐ防水フィルターを有することを特徴とする請求項４に記載の路面埋設ブロック。
【請求項６】
前記上壁部の上面は点字体を有することを特徴とする請求項１〜５のいずれかに記載の路面埋設ブロック。
【請求項７】
前記請求項１〜６のいずれかに係る路面埋設ブロックと、該路面埋設ブロックのスピーカに音声信号を出力する音声信号発生装置とを備えることを特徴とするブロックシステム。
【請求項８】
前記路面埋設ブロックの近傍に人を感知するセンサを設け、前記音声信号発生装置は、前記センサが人を感知したとき音声信号を出力することを特徴とする請求項７に記載のブロックシステム。
【請求項９】
前記センサは、前記路面埋設ブロックと連接されて設置された路面埋設ブロックに内蔵されることを特徴とする請求項８に記載のブロックシステム。
【発明の詳細な説明】
【技術分野】
【０００１】
本発明は、路面埋設ブロック及びブロックシステム、詳しくは、道路や通路などに埋設され、視覚障害者等を誘導案内するための音や音声を発生する路面埋設ブロック及び該路面埋設ブロックを構成要素とするブロックシステムに関する。
【背景技術】
【０００２】
道路等において、視覚障害者等を誘導案内するために、点字ブロックとは別に、支柱など構造物にスピーカを取り付け、スピーカから案内情報を音又は音声で発生させる方法が知られている。
【０００３】
しかし、この方法によると、スピーカが視覚障害者等の頭上に位置し、スピーカから発せられた音声案内が四方へ拡散されるため、視覚障害者等の位置と音声案内の内容との対応付けが曖昧になり易く、ピンポイント的な的確な音声案内を実現することが困難になるという問題、あるいは、このような音声案内が不要とされる視覚障害者等以外の多くの人にも音声案内が耳に入ってしまうという問題などがある。
【０００４】
そこで、従来、上記のような地上設置型スピーカによる音声案内の問題点を解決するために、路面埋設ブロックにスピーカを内蔵し、路面から上方へ向かって音声案内を行うことが提案されている（例えば、特許文献１、２参照）。
【特許文献１】実用新案登録第２５６９１３６号公報
【特許文献２】特開２００３−４４９８１号公報
【発明の開示】
【発明が解決しようとする課題】
【０００５】
しかし、従来のスピーカ内蔵の路面埋設ブロックには、地上設置型スピーカと比べ音声案内が聞こえる範囲を狭くすることができるという利点を有するものの、スピーカの指向性が広いため、例えばスピーカの周囲５〜６mに至る範囲においても音声が聞き取られることとなり、視覚障害者等の位置と音声案内の内容とが対応付けされたピンポイント的な音声案内を実現することが困難であるという問題があった。
【０００６】
本発明は、上記のような従来の路面埋設ブロックの問題点を解決し、音声を聞き取ることができる範囲を狭い範囲例えばスピーカの周囲２〜３mの範囲に縮小させ、ピンポイント的な音声案内に近づけることが可能な路面埋設ブロック及び該路面埋設ブロックを構成要素とするブロックシステムを提供することを目的とする。
【課題を解決するための手段】
【０００７】
本発明の路面埋設ブロックは、上壁部の下方に形成される内部空間に、狭指向性スピーカを内蔵したことを特徴とする。
【０００８】
本発明によると、例えば平面スピーカなどはコーンスピーカなど一般のスピーカと比較して狭い指向性を有しているため、従来の路面埋設ブロックよりも音声案内が拡散しにくくなり、視覚障害者等以外の人への騒音の防止、及び、視覚障害者等へのピンポイント的な音声案内が実現可能になる。
【０００９】
ここで、前記スピーカは、前記上壁部の上面と平行に配置される。
【００１０】
また、前記スピーカは、平面スピーカである。
【００１１】
また、前記上壁部は、前記内部空間に連通する複数の音声出力孔を有する。
【００１２】
また、前記上壁部は、前記複数の音声出力孔を塞ぐ防水フィルターを有する。
【００１３】
また、前記上壁部の上面は点字体を有する。
【００１４】
本発明のブロックシステムは、前記路面埋設ブロックと、該路面埋設ブロックの平面スピーカに音声信号を出力する音声信号発生装置とを備えることを特徴とする。
【００１５】
ここで、前記路面埋設ブロックの近傍に人を感知するセンサを設け、前記音声信号発生装置は、前記センサが人を感知したとき音声信号を出力する。センサを設けたことにより、人が存在しないときの無用な音声案内が行われなくなる。また、路面埋設ブロックの近傍に人が存在するときのみ音声案内が行われるようになる。
【００１６】
また、前記センサは、前記路面埋設ブロックの隣に設置される路面埋設ブロックに内蔵される。
【発明を実施するための最良の形態】
【００１７】
以下、本発明の実施形態を図面に基づいて説明する。
【００１８】
図１は、本発明の第１、第２、第３実施形態に係る路面埋設ブロックの平面図、図２は、同路面埋設ブロックの側面図、図３は、第１実施形態に係る路面埋設ブロックの図１図示A-A断面図、図４は、同路面埋設ブロックの図１図示B-B断面図、図５は、第２実施形態に係る路面埋設ブロックの図１図示A-A断面図、図６は、同路面埋設ブロックの図１図示B-B断面図、図７は、第３実施形態に係る路面埋設ブロックを構成要素とする第１実施形態に係るブロックシステムの構成図、図８は、同路面埋設ブロックを構成要素とする第２実施形態に係るブロックシステムの構成図、図９は、同路面埋設ブロックを構成要素とする第３実施形態に係るブロックシステムの構成図、図１０は、同路面埋設ブロックを構成要素とする第４実施形態に係るブロックシステムの構成図をそれぞれ示す。
【００１９】
図１〜図４において、第１実施形態に係る路面埋設ブロック１００A（１００）は、金属例えばアルミ鋳物製の本体下部１を備え、この本体下部１の上面に、指向性の狭い特性を有する平面スピーカ２がねじ３で固定されている。平面スピーカ２は、本体下部１の上面に形成された凹部１aに非接触状態で配されている。
【００２０】
本体下部１の上面には、金属例えばアルミ鋳物製の本体上部４が締結ねじ５で固定されている。本体下部１の上面と本体上部４の下面との間には、防水パッキン６が配設されている。
【００２１】
本体上部４の下面には、平面スピーカ２を非接触状態で収容する凹部４aが形成されている。また、平面スピーカ２の上方に位置する本体上部４の上壁部４bには、複数の音声出力孔４cが形成されている。平面スピーカ２は、上壁部４bに対して平行に配されている。
【００２２】
上壁部４bの上面には、雨水などの浸入を防止しつつ平面スピーカ２から発せられた音又は音声を外部に伝播可能にする防水フィルタ７が配置されている。防水フィルタ７の上面及び防水フィルタ７の周囲に位置する本体上部４の上面には、上面に点字体８aを有する樹脂シート８が固着されている。
【００２３】
上記のように構成された第１実施形態の路面埋設ブロック１００Aは、図３及び図４に路面を二点鎖線で示したように、路面GLに埋設される。
【００２４】
図１、図２、図５及び図６において、第２実施形態に係る路面埋設ブロック１００B（００）は、金属例えばアルミ鋳物製の本体下部１を備え、この本体下部１の上面に、指向性の狭い特性を有する平面スピーカ２がねじ３で固定されている。平面スピーカ２は、本体下部１の上面に形成された凹部１aに非接触状態で配されている。
【００２５】
本体下部１の上面には、金属例えばアルミ鋳物製の本体上部４が締結ねじ５で固定されている。本体下部１の上面と本体上部４の下面との間には、防水パッキン６が配設されている。
【００２６】
本体上部４の下面には、平面スピーカ２を非接触状態で収容する凹部４aが形成されている。また、平面スピーカ２の上方に位置する本体上部４の上壁部４bには、複数の音声出力孔４cが形成されている。平面スピーカ２は、上壁部４bに対して平行に配されている。
【００２７】
上壁部４bの上面には、雨水などの浸入を防止しつつ平面スピーカ２から発せられた音又は音声を外部に伝播可能にする防水フィルタ７が配置されている。防水フィルタ７の上面及び防水フィルタ７の周囲に位置する本体上部４の上面には、上面に点字体９aを有するゴムチップリサイクル材９が固定されている。
【００２８】
上記のように構成された第２実施形態の路面埋設ブロック１００Bは、図５及び図６に路面を二点鎖線で示したように、路面GLに埋設される。
【００２９】
図１、図２及び図７〜図１０において、第３実施形態に係る路面埋設ブロック１００C（１００）は、金属例えばアルミ鋳物製の本体下部１を備え、この本体下部１の上面に、指向性の狭い特性を有する平面スピーカ２がねじ３で固定されている。平面スピーカ２は、本体下部１の上面に形成された凹部１aに非接触状態で配されている。
【００３０】
本体下部１の上面には、金属例えばアルミ鋳物製の本体上部４が締結ねじ５で固定されている。本体下部１の上面と本体上部４の下面との間には、防水パッキン６が配設されている。
【００３１】
本体上部４の下面には、平面スピーカ２を非接触状態で収容する凹部４aが形成されている。また、平面スピーカ２の上方に位置する本体上部４の上壁部４bには、複数の音声出力孔４cが形成されている。平面スピーカ２は、上壁部４bに対して平行に配されている。
【００３２】
上壁部４bの下面には、雨水などの浸入を防止しつつ平面スピーカ２から発せられた音又は音声を外部に伝播可能にする防水フィルタ７が固着されている。
【００３３】
本体上部４の上面には、上面に点字体８aを有する樹脂シート８が固着されている。
【００３４】
上記のように構成された第３実施形態の路面埋設ブロック１００Cは、路面GLに埋設される。
【００３５】
次に、第１、第２、第３、第４実施形態に係るブロックシステムを図７〜図１０に基づいて説明する。
【００３６】
図７に示す第１実施形態に係るブロックシステムは、第３実施形態に係る路面埋設ブロック１００Cを路面GLに埋設するとともに、音声信号発生装置２０１を内蔵した制御ボックス２００を外部に設置して構成される。音声信号発生装置２０１は、図示しない電源例えば商用電源、バッテリー、太陽電池、電気二重層コンデンサなどから電力の供給を受け、常時、音声信号（音信号を含む。）を出力する。路面埋設ブロック１００Cの平面スピーカ２は、音声信号を受信し、音声信号に対応する音声を常時発生する。
【００３７】
図８に示す第２実施形態に係るブロックシステムは、第３実施形態に係る路面埋設ブロック１００Cを路面GLに埋設するとともに、この路面埋設ブロック１００Cに隣接して他の路面埋設ブロック１００Dを路面GLに埋設して構成される。他の路面埋設ブロック１００Dは、平面スピーカ２の代わりに音声信号発生装置２０１を内蔵して構成され、その他の構成は第３実施形態に係る路面埋設ブロック１００Cとほぼ同様である。音声信号発生装置２０１は、図示しない電源例えば商用電源、バッテリー、太陽電池、電気二重層コンデンサなどから電力の供給を受け、常時、音声信号（音信号を含む。）を出力する。路面埋設ブロック１００Cの平面スピーカ２は、音声信号を受信し、音声信号に対応する音声を常時発生する。
【００３８】
図９に示す第３実施形態に係るブロックシステムは、第３実施形態に係る路面埋設ブロック１００Cを路面GLに埋設するとともに、音声信号発生装置２０１を内蔵した制御ボックス２００を外部に設置して構成される。音声信号発生装置２０１は、図示しない電源例えば商用電源、バッテリー、太陽電池、電気二重層コンデンサなどから電力の供給を受け、図示しないセンサ例えば赤外線センサ、圧力センサ、超音波センサなどが歩行者を感知し、有線又は無線で検出信号を受信したときのみ、音声信号（音信号を含む。）を出力する。センサは、路面埋設ブロック１００Cの近傍に設けられ、例えば、路面埋設ブロック１００Cに連接されて設置される路面埋設ブロックに内蔵される。連接されるブロックは、路面埋設ブロック１００Cの隣であっても良いし、いくつかのブロックを挟んで設置されても良い。このように路面埋設ブロック１００Cの近傍または連接するブロックに内蔵することにより、点字ブロック上を歩く視覚障害者が接近したときのみ音声を発生することができ、より対象者に対して適切な音声案内が可能となる。路面埋設ブロック１００Cの平面スピーカ２は、音声信号を受信し、音声信号に対応する音声を発生する。なお、センサの代わりに、IDタグなどを利用し、IDタグ所有者が近づくと音声を発生するようにしてもよい。
【００３９】
図１０に示す第４実施形態に係るブロックシステムは、第３実施形態に係る路面埋設ブロック１００Cを路面GLに埋設するとともに、この路面埋設ブロック１００Cに隣接して他の路面埋設ブロック１００Dを路面GLに埋設して構成される。他の路面埋設ブロック１００Dは、平面スピーカ２の代わりに音声信号発生装置２０１を内蔵して構成され、その他の構成は第３実施形態に係る路面埋設ブロック１００Cとほぼ同様である。音声信号発生装置２０１は、図示しない電源例えば商用電源、バッテリー、太陽電池、電気二重層コンデンサなどから電力の供給を受け、図示しないセンサ例えば赤外線センサ、圧力センサ、超音波センサなどが歩行者を感知し、有線又は無線で検出信号を受信したときのみ、音声信号（音信号を含む。）を出力する。センサは、路面埋設ブロック１００Cの近傍に設けられ、例えば、路面埋設ブロック１００Cに連接されて設置される路面埋設ブロックに内蔵される。連接されるブロックは、路面埋設ブロック１００Cの隣であっても良いし、いくつかのブロックを挟んで設置されても良い。このように路面埋設ブロック１００Cの近傍または連接するブロックに内蔵することにより、点字ブロック上を歩く視覚障害者が接近したときのみ音声を発生することができ、より対象者に対して適切な音声案内が可能となる。路面埋設ブロック１００Cの平面スピーカ２は、音声信号を受信し、音声信号に対応する音声を発生する。なお、センサの代わりに、IDタグなどを利用し、IDタグ所有者が近づくと音声を発生するようにしてもよい。
【００４０】
上述した第１〜第４実施形態に係るブロックシステムにおいて、第３実施形態に係る路面埋設ブロック１００Cの代わりに第１、第２実施形態に係る路面埋設ブロック１００A、１００Bを用いることは自由である。
【００４１】
以上説明したように、上記実施形態の路面埋設ブロック１００（１００A、１００B、１００C）は、上壁部４bの下方に形成される内部空間（凹部１aと凹部４aで形成される空間）に、上壁部４bの上面と平行に狭指向性スピーカ、例えば平面スピーカ２を配置して構成される。上記実施形態によると、平面スピーカ２がコーンスピーカと比べ指向性が狭いため、従来の路面埋設ブロックよりも音声案内が拡散しにくくなり、視覚障害者等以外の人への騒音の防止、及び、視覚障害者等へのピンポイント的な音声案内が実現可能になる。また、狭指向性のスピーカを用いることにより必要な空間にのみ音声を出力することができるため、同じ音圧を確保するためのパワーが小さくて済む。このため、機器を小型化したり消費電力を抑えられるという効果も有する。
【００４２】
また、上記実施形態のブロックシステムは、路面埋設ブロック１００の近傍に人を感知するセンサを設け、センサが人を感知したとき音声信号発生装置２０１から音声信号を出力するよう構成したため、人が存在しないときの無用な音声案内が行われなくなり、路面埋設ブロック１００の近傍に人が存在するときのみ音声案内が行われるようになる。
【図面の簡単な説明】
【００４３】
【図１】本発明の第１、第２、第３実施形態に係る路面埋設ブロックの平面図である。
【図２】同路面埋設ブロックの側面図である。
【図３】第１実施形態に係る路面埋設ブロックの図１図示A-A断面図である。
【図４】同路面埋設ブロックの図１図示B-B断面図である。
【図５】第２実施形態に係る路面埋設ブロックの図１図示A-A断面図である。
【図６】同路面埋設ブロックの図１図示B-B断面図である。
【図７】第３実施形態に係る路面埋設ブロックを構成要素とする第１実施形態に係るブロックシステムの構成図である。
【図８】同路面埋設ブロックを構成要素とする第２実施形態に係るブロックシステムの構成図である。
【図９】同路面埋設ブロックを構成要素とする第３実施形態に係るブロックシステムの構成図である。
【図１０】同路面埋設ブロックを構成要素とする第４実施形態に係るブロックシステムの構成図である。
【符号の説明】
【００４４】
１a    凹部（内部空間）
２    平面スピーカ（狭指向性スピーカ）
４a    凹部（内部空間）
４b    上壁部
４c    音声出力孔
７    防水フィルタ
８a、９a    点字体
１００A、１００B、１００C（１００）    路面埋設ブロック
２０１    音声信号発生装置
【図１】
2008190120.tif 000003
【図２】
2008190120.tif 000004
【図３】
2008190120.tif 000005
【図４】
2008190120.tif 000006
【図５】
2008190120.tif 000007
【図６】
2008190120.tif 000008
【図７】
2008190120.tif 000009
【図８】
2008190120.tif 000010
【図９】
2008190120.tif 000011
【図１０】
2008190120.tif 000012